(57)【要約】【課題】取り付け対象体への穿孔等を不要として作業性および作業能率の向上を図った通信機材取り付け装置を提供する。【解決手段】把持片２と把持片３，３は、固定ボルト４，４，４，４によりベース１に一旦仮り止めされる。把持片２と把持片３，３は、各固定ボルト４を該ボルト４に螺合されたナットで締め付けを行うことにより、Ｈ型鋼１０の上面部１０ａをベース１側へと引きつけるような形状をなしている。【選択図】      図１
2004201239.tif 000002
【特許請求の範囲】
【請求項１】
通信機材の支持柱を一方の側に立設された板状のベースへのボルトによる仮り止め後のボルト締め付けにより、当該ベースの他方の側で当該ベースに対向する板状の部分からなる取り付け対象体を、当該ベース側へと引きつけるような形状をなした片を、当該取り付け対象体の両方の側部のそれぞれに沿って備えることを特徴とする通信機材取り付け装置。
【請求項２】
通信機材の支持柱を一方の側に立設された、板状にして両方の側部の近傍に内側に向けての長い穴が形成されたベースを備え、当該ベースの他方の側で当該ベースに対向する板状の部分からなる取り付け対象体を、前記穴に通されたボルトによる仮り止め後のボルト締め付けにより、当該ベース側へと引きつけるような形状をなした片を、当該取り付け対象体の両方の側部のそれぞれに沿って備えることを特徴とする通信機材取り付け装置。
【請求項３】
前記各片は取り付け対象体の厚み方向に屈曲しさらに該屈曲された部分の先端部分を取り付け対象体の方向に屈曲した形状を有することを特徴とする請求項１または２記載の通信機材取り付け装置。
【請求項４】
前記ベースに支持柱側から螺合されかつ締め付けにより前記取り付け対象体をベースとは反対側に押し戻すボルトを備えることを特徴とする請求項１ないし３のいずれか記載の通信機材取り付け装置。
【請求項５】
取り付け対象体をベースとは反対側に押し戻す前記ボルトを前記ベースの両方の側部のそれぞれの近傍から内寄りにそれぞれ備えたことを特徴とする請求項４記載の通信機材取り付け装置。
【請求項６】
取り付け対象体をベース側へと引きつける前記ボルトが前記取り付け対象体の側部に沿いかつ互いに間隔をもって複数本用いられていることを特徴とする請求項１ないし５のいずれかに記載の通信機材取り付け装置。
【請求項７】
複数の板状の部分からなる取り付け対象体の当該板状の部分同士を互いに平行な状態に保持する部材を備えることを特徴とする請求項１ないし６のいずれかに記載の通信機材取り付け装置。
【請求項８】
前記片のいずれかは取り付け対象体を引きつける前記ボルトを着脱不能にして備えることを特徴とする請求項１ないし７のいずれかに記載の通信機材取り付け装置。
【請求項９】
前記取り付け対象体の少なくとも一方の側部に前記片を複数片備えたことを特徴とする請求項１ないし８のいずれかに記載の通信機材取り付け装置。
【請求項１０】
前記ベースは通信機材の支持柱を中心よりずれた位置に立設してなることを特徴とする請求項２ないし９のいずれかに記載の通信機材取り付け装置。
【請求項１１】
前記取り付け対象体の前記ベースとは反対側に貼り付けられたシート状のゴムを備える請求項１ないし１０のいずれかに記載の通信機材取り付け装置。
【発明の詳細な説明】
【０００１】
【発明の属する技術分野】
本発明は、アンテナや無線装置等の通信機材を鉄塔やビルの屋上等に取り付ける通信機材取り付け装置に関する。
【０００２】
【従来の技術】
従来、鉄塔上にアンテナや無線装置等の通信機材を取り付ける場合、例えば、図５および図６に示すように、鉄塔の主部材あるいはこれに固定ボルトで固定されたＨ型鋼や溝型鋼である基礎桁２１に、支持柱２３ａを立設したベース２３を載置し固定ボルトおよびナット２２で固定し、支持柱２３ａにポール等を介して通信機材を取り付けるようなっている。
【０００３】
また、建屋の屋上に通信機材を取り付ける場合には、例えば、図７および図８に示すように、屋上面にゴムシート３１を敷き、その上に鋼材３２を必要に応じて階層状に配置して固定ボルト３３で止めることにより設置架台３２Ａを組立て、その中心に支持柱２３ａを立設したベース２３を固定ボルトおよびナット２２で固定する構造になっている。
【０００４】
さらに、通信機材および支持柱２３ａに受ける風力に対して設置架台３２Ａの位置、姿勢を保持するのに必要な重量を確保するため、重石３６を必要数追加している。このとき、建屋の屋上面は、排水のため勾配を設けているため、支持柱２３ａは鉛直方向に対して僅かに傾いた状態になる。このためベース２３と鋼材３２の間にスペーサ（図示せず）を挿入し、支持柱２３ａの傾きを調整している。
【０００５】
【発明が解決しようとする課題】
しかしながら、支持柱２３ａは、固定ボルトおよびナットによって、取り付け対象体である基礎桁２１や設置架台３２Ａに直接穴をあけて固定するようになっているため、鉄塔主部材の取付部の、ベース２３の取り付け穴と対応する部位にマーキングを施し、そのマーキングした部位にドリル等の工具によって穿孔する必要があった。また、加工したボルト穴には、防錆処理を行う必要があった。
【０００６】
しかも、これらの一連の作業は、足場が不安定な高い鉄塔などで行う場合は、正確な位置にボルト穴をあける作業や工具類の落下防止などに神経を使うなど、作業性および作業能率の面で望ましいものではなかった。
【０００７】
また、設置架台３２Ａでは、屋上までの人力による機材の搬入作業の後、屋上面へのゴムシートの敷設作業、鋼材の組立作業、これら一連の作業を全て人が行う必要があり、作業性および作業能率の面で望ましいものではなかった。
【０００８】
しかも、設置架台３２Ａの大きさや支持柱２３ａの取付位置等は予め決められているため、アンテナの指向特性からみた設置位置よりも、屋上での既設設備（手摺り等）との位置関係などを優先して設置位置を決めざるを得なかった。
【０００９】
そこで本発明は、上記従来の課題に鑑みなされたももので、その目的とするところは、取り付け対象体への穿孔等を不要として作業性および作業能率の向上を図った通信機材取り付け装置を提供することにある。
【００１０】
【課題を解決するための手段】
上記従来の課題を解決するために、請求項１の本発明は、通信機材の支持柱を一方の側に立設された板状のベースへのボルトによる仮り止め後のボルト締め付けにより、当該ベースの他方の側で当該ベースに対向する板状の部分からなる取り付け対象体を、当該ベース側へと引きつけるような形状をなした片を、当該取り付け対象体の両方の側部のそれぞれに沿って備えることを特徴とする通信機材取り付け装置をもって解決手段とする。
【００１１】
請求項１の本発明にあっては、通信機材の支持柱を一方の側に立設された板状のベースへのボルトによる仮り止め後のボルト締め付けにより、ベースの他方の側でベースに対向する板状の部分からなる取り付け対象体を、ベース側へと引きつけるような形状をなした片を、取り付け対象体の両方の側部のそれぞれに沿って備えるので、ベースにボルトで仮り止めされた各片がボルト締め付けにより取り付け対象体をベース側へと引きつけることになり、従って、通信機材を取り付ける際に、取り付け対象体への穿孔等が不要になる。さらにベースと取り付け対象体との位置関係の調整が可能となる。その結果、通信機材の取り付けの際の作業性および作業能率が向上する。
【００１２】
また、請求項２の本発明は、通信機材の支持柱を一方の側に立設された、板状にして両方の側部の近傍に内側に向けての長い穴が形成されたベースを備え、当該ベースの他方の側で当該ベースに対向する板状の部分からなる取り付け対象体を、前記穴に通されたボルトによる仮り止め後のボルト締め付けにより、当該ベース側へと引きつけるような形状をなした片を、当該取り付け対象体の両方の側部のそれぞれに沿って備えることを特徴とする通信機材取り付け装置をもって解決手段とする。
【００１３】
請求項２の本発明にあっては、通信機材の支持柱を一方の側に立設された、板状にして両方の側部の近傍に内側に向けての長い穴が形成されたベースを備え、ベースの他方の側でベースに対向する板状の部分からなる取り付け対象体を、穴に通されたボルトによる仮り止め後のボルト締め付けにより、ベース側へと引きつけるような形状をなした片を、取り付け対象体の両方の側部のそれぞれに沿って備えるので、ベースにボルトで仮り止めされた各片がボルト締め付けにより取り付け対象体をベース側へと引きつけることになり、従って、通信機材を取り付ける際に、取り付け対象体への穿孔等が不要になる。さらにベースと取り付け対象体との位置関係の調整が可能となる。その結果、通信機材の取り付けの際の作業性および作業能率が向上する。さらに、ベースに設けられた長い穴により、取り付け対象体に対する片の位置を調整することができる。
【００１４】
また、請求項３の本発明は、前記各片は取り付け対象体の厚み方向に屈曲しさらに該屈曲された部分の先端部分を取り付け対象体の方向に屈曲した形状を有することを特徴とする請求項１または２記載の通信機材取り付け装置をもって解決手段とする。
【００１５】
請求項３の本発明にあっては、各片は取り付け対象体の厚み方向に屈曲しさらに該屈曲された部分の先端部分を取り付け対象体の方向に屈曲した形状を有するので、この先端部分で取り付け対象体をベースへと引きつけることができる。
【００１６】
また、請求項４の本発明は、前記ベースに支持柱側から螺合されかつ締め付けにより前記取り付け対象体をベースとは反対側に押し戻すボルトを備えることを特徴とする請求項１ないし３のいずれか記載の通信機材取り付け装置をもって解決手段とする。
【００１７】
請求項４の本発明にあっては、ベースに支持柱側から螺合されたボルトが、締め付けにより取り付け対象体をベースとは反対側に押し戻すので、通信機材をより強固に取り付けることができる。
【００１８】
また、請求項５の本発明は、取り付け対象体をベースとは反対側に押し戻す前記ボルトを前記ベースの両方の側部のそれぞれの近傍から内寄りにそれぞれ備えたことを特徴とする請求項４記載の通信機材取り付け装置をもって解決手段とする。
【００１９】
請求項５の本発明にあっては、取り付け対象体をベースとは反対側に押し戻すボルトをベースの両方の側部のそれぞれの近傍から内寄りにそれぞれ備えたので、当該取り付け対象体を押し戻すそれぞれのボルトと、当該取り付け対象体を引きつけるボルトの締め付け量を調整することにより、ベースに立設した支持柱の傾きを調整することができる。
【００２０】
また、請求項６の本発明は、取り付け対象体をベース側へと引きつける前記ボルトが前記取り付け対象体の側部に沿いかつ互いに間隔をもって複数本用いられていることを特徴とする請求項１ないし５のいずれかに記載の通信機材取り付け装置をもって解決手段とする。
【００２１】
請求項６の本発明にあっては、取り付け対象体をベース側へと引きつけるボルトが取り付け対象体の側部に沿いかつ互いに間隔をもって複数本用いられていることので、片により取り付け対象体をより強固にベースに引きつけることができる。
【００２２】
また、請求項７の本発明は、複数の板状の部分からなる取り付け対象体の当該板状の部分同士を互いに平行な状態な状態に保持する部材を備えることを特徴とする請求項１ないし６のいずれかに記載の通信機材取り付け装置をもって解決手段とする。
【００２３】
請求項７の本発明にあっては、複数の板状の部分からなる取り付け対象体の当該板状の部分同士を互いに平行な状態な状態に保持する部材を備えるので、取り付け対象体の屋上等への取り付けが容易になり、その結果、通信機材の取り付けの際の作業性および作業能率が向上する。
【００２４】
また、請求項８の本発明は、前記片のいずれかは取り付け対象体を引きつける前記ボルトを着脱不能にして備えることを特徴とする請求項１ないし７のいずれかに記載の通信機材取り付け装置をもって解決手段とする。
【００２５】
請求項８の本発明にあっては、いずれかの片は、取り付け対象体を引きつけるためのボルトを着脱不能にして備えるので、片やボルトの紛失を少なくすることができる。
【００２６】
また、請求項９の本発明は、前記取り付け対象体の少なくとも一方の側部に前記片を複数片備えたことを特徴とする請求項１ないし８のいずれかに記載の通信機材取り付け装置をもって解決手段とする。
【００２７】
請求項９の本発明にあっては、取り付け対象体の少なくとも一方の側部に片を複数片備えているので、通信機材の取り付けの際の作業性および作業能率が向上する。
【００２８】
また、請求項１０の本発明は、前記ベースは通信機材の支持柱を中心よりずれた位置に立設してなることを特徴とする請求項２ないし９のいずれかに記載の通信機材取り付け装置をもって解決手段とする。
【００２９】
請求項１０の本発明にあっては、ベースは通信機材の支持柱をベースの中心よりずれた位置に立設してなるので、周囲の部材との干渉を回避したり、アンテナの指向性等に適した取り付けの状態にできる。
【００３０】
また、請求項１１の本発明は、前記取り付け対象体の前記ベースとは反対側に貼り付けられたシート状のゴムを備える請求項１ないし１０のいずれかに記載の通信機材取り付け装置をもって解決手段とする。
【００３１】
請求項１１の本発明によれば、シート状のゴムにより、取り付け対象体と屋上面等とのずれを防止することができる。
【００３２】
【発明の実施の形態】
以下、本発明の通信機材取り付け装置の実施の形態を図面を参照して説明する。
【００３３】
（第１の実施の形態）
図１、図２はそれぞれ、第１の実施の形態の通信機材取り付け装置の斜視図、分解組立図である。なお、第１の実施の形態では、通信機材の取り付け場所は鉄塔を想定している。
【００３４】
ベース１は、アンテナや無線装置といった通信機材（図示せず）の支持柱１ａが一方の側に立設された板状の部材である。支持柱１ａにはポール等を介して通信機材が取り付けされる。ベース１は、鉄塔の主部材であるＨ型鋼１０に載置されて固定されるものである。把持片２は、Ｈ型鋼１０にける上面部１０ａの、一方の側部１０ｂに沿って設けられている。把持片３，３は、Ｈ型鋼１０の上面部１０ａの他方の側部１０ｃに沿って設けられている。この上面部１０ａは、取り付け時におけるＨ型鋼１０の上面部であり板状をなしている。
【００３５】
把持片２と把持片３，３は、固定ボルト４，４，４，４によりベース１に一旦仮り止めされるものである。把持片２と把持片３，３は、各固定ボルト４を該ボルト４に螺合されたナットで締め付けを行うことにより、Ｈ型鋼１０の上面部１０ａをベース１側へと引きつけるような形状をなしている。具体的には、各把持片２，３は、ベース１に接する部分に対し、Ｈ型鋼１０の上面部１０ａの厚み方向に屈曲し、さらに該屈曲された部分の先端部分２ａ，３ａをＨ型鋼１０の方向に屈曲した形状を有する。従って、この先端部分２ａ，３ａが上面部１０ａに接してＨ型鋼１０をベース１へ引きつけるのである。
【００３６】
固定ボルト４は、Ｈ型鋼１０の上面部１０ａの側部１０ｂ（または１０ｃ）に沿いかつ互いに間隔をもって２本用いられているので、Ｈ型鋼１０をより強固にベース１に引きつけて固定することができる。かかる固定ボルト４は側部１０ｂ（または１０ｃ）に３本以上用いてもよい。
【００３７】
把持片２には、固定ボルト４を通すための丸穴２ｂ，２ｂが穿孔されている。一方、各把持片３，３は、固定ボルト４を着脱不能にして備えていて把持片３や固定ボルト４の紛失を防止している。
【００３８】
なお、通信機材の取り付け対象体としては、Ｈ型鋼１０のような鉄塔主部材自体ばかりでなく、鉄塔主部材上に、Ｈ型鋼や溝型鋼を組み合わせて構成された基礎桁における、Ｈ型鋼や溝型鋼でもよい。
【００３９】
さて、各把持片２，３の、Ｈ型鋼１０の上面部１０ａの厚み方向に平行な部分の長さは、Ｈ型鋼１０の厚さよりも長くなっている。これはＨ型鋼１０は、上面部１０ａの厚さの様々なものが使用されるので、これらＨ型鋼１０対してもベース１を固定可能にするためである。
【００４０】
従って、かかる寸法の場合には、ベース１と把持片２，３とを密着させ固定ボルト４を締め付けしても、ベース１とＨ型鋼１０の上面部１０ａとの間には隙間が生じる。しかしながら、ベース１には、支持柱１ａ側から螺合されかつ締め付けによりＨ型鋼１０をベース１とは反対側に押し戻すボルト５，５，５，５が設けられている。そのため、ベース１をＨ型鋼１０に固定することができる。なお、ボルト５は、ベース１とＨ型鋼１０との隙間を調整することから、以降、隙間調整ボルト５という。隙間調整ボルト５は十分長いものとすることが望ましい。
【００４１】
また、各隙間調整ボルト５は、ベース１の両方の側部１ｂ，１ｃのそれぞれの近傍から内寄りに設けられている。そのため、隙間調整ボルト５と固定ボルト４の締め付け量を調整することより支持柱１ａの傾きを変化させることができるので、支持柱１ａの傾きを調整することができる。
【００４２】
なお、Ｈ型鋼１０の上面部１０ａの厚さが十分に厚い場合には、固定ボルト４だけの締め付けにより、ベース１をＨ型鋼１０に固定することが可能なので、かかる場合は隙間調整ボルト５は不要である。
【００４３】
ベース１の両方の側部１ｂ，１ｃの近傍に、ベース１の内側に向けての長い小判穴６，６，６，６が形成されている。固定ボルト４は、把持片２に用いられるものについては、丸穴２ｂと小判穴６に通されてナットで締め付けされる。また、各把持片３，３が着脱不能に備える固定ボルト４については、小判穴６に通されてナットで締め付けされる。そのため、各把持片２，３の先端部分２ａ，３ａをＨ型鋼１０の上面部１０ａに干渉させることなくベース１をＨ型鋼１０の上面部１０ａに載置させることができ、その後、把持片２，３をＨ型鋼１０の上面部１０ａの両端部１０ｂ，１０ｃにそれぞれ沿わせることができる。
【００４４】
従って、本発明の第１の実施の形態の通信機材取り付け装置によれば、通信機材の支持柱１ａを一方の側に立設された板状のベース１への固定ボルト４による仮り止め後の固定ボルト４締め付けにより、ベース１の他方の側でベース１に対向するＨ型鋼１０を、ベース１側へと引きつけるような形状をなした把持片２，３を、Ｈ型鋼１０の両方の側部１０ｂ，１０ｃのそれぞれに沿って備えるので、ベース１に固定ボルト４で仮り止めされた各把持片２，３がボルト締め付けによりＨ型鋼１０をベース１側へと引きつけることになる。従って、通信機材を取り付ける際のＨ型鋼１０への穿孔等が不要になる。さらにベース１とＨ型鋼１０の位置関係の調整が可能となるので、通信機材の取り付けの際の作業性および作業能率が向上する。
【００４５】
つまり、鉄塔の主部材またはこれに固定された基礎桁へのマーキング作業、ボルト孔の加工作業、防錆処理作業を省略できるため、作業性および作業能率の大幅な向上が図れる。
【００４６】
また、各把持片２，３はＨ型鋼１０の厚み方向に屈曲しさらに該屈曲された部分の先端部分２ａ，３ａをＨ型鋼１０の方向に屈曲した形状を有するので、この先端部分２ａ，３ａがＨ型鋼１０に接してＨ型鋼１０をベース１へと引きつけることができる。
【００４７】
また、ベース１に支持柱１ａ側から螺合されかつ締め付けによりＨ型鋼１０をベース１とは反対側に押し戻すボルト５を備えるので、通信機材をより強固に取り付けることができる。
【００４８】
また、隙間調整ボルト５をベース１の両方の側部１ａ，１ｂのそれぞれの近傍から内寄りにそれぞれ備えたので、固定ボルト４と隙間調整ボルト５の締め付け量を調整することにより、ベース１に立設した支持柱１ａの傾きを調整することができる。
【００４９】
また、固定ボルト４がＨ型鋼１０の側部１０ｂ，１０ｃに沿いかつ互いに間隔をもって複数本用いられているので、把持片２，３によりＨ型鋼１０をより強固にベース１に引きつけることができる。
【００５０】
また、把持片３は、固定ボルト４を着脱不能にして備えるので、把持片３や固定ボルト４の紛失を少なくすることができる。
【００５１】
また、Ｈ型鋼１０の少なくとも一方の側部１０ｃに把持片３を複数片備えているので、通信機材の取り付けの際の作業性および作業能率が向上する。
【００５２】
ところで、取り付け対象体が鉄塔の外周部材であると、この外周部材の上方にある手摺等と支持柱１ａが干渉する場合ある。しかしながら、図３に示したように、支持柱１ａをベース１の中心よりずれた位置に立設すれば、かかる干渉を回避することができる。また、アンテナの指向性等に適した取り付けの状態にすることもできる。
【００５３】
（第２の実施の形態）
図４は、本発明の第２の実施の形態に係る通信機材取り付け装置の斜視図である。なお、第２の実施の形態では、通信機材の取り付け場所は、予め取り付け対象体が設けられていないビルの屋上等を想定している。
【００５４】
この場合、図４に示すように、屋上面を保護する目的と屋上面との摩擦力を確保する目的のゴムシート１１を底面に予め貼付した複数のＨ型鋼１０を互いに平行に配置する。そして、当該複数のＨ型鋼１０の一方の端部それぞれに保持部材１２を渡し、また、他方の端部それぞれにも保持部材１２を渡す。そして、各Ｈ型鋼１０の端部と部材１２を各ボルト１３で固定する。
【００５５】
なお、これら複数のＨ型鋼１０と部材１２は、いわゆる設置架台を構成することになる。また、Ｈ型鋼１０の数や、Ｈ型鋼１０や部材１２個々の重量／寸法は、通信機材および支持柱１ａに対する風力に対して設置架台の位置と姿勢が保持されるようになっている。そして、１〜２名でのエレベータおよび階段を使用しての屋上への搬入作業を考慮して定められている。
【００５６】
従って、本発明の第２の実施の形態の通信機材取り付け装置によれば、複数のＨ型鋼１０の上面部１０ａ同士を互いに平行な状態な状態に保持する保持部材１２を備えるので、複数のＨ型鋼１０の屋上等への取り付けが容易になり、その結果、搬入作業、組立作業、支持柱１ａのレベル調整作業の作業性および作業能率が向上する。
【００５７】
また、シート状のゴム１１により、Ｈ鋼１０と屋上面等の摩擦力が確保されるので、両者のずれを防止することができる。さらに、第２の実施の形態では、ベース１は、設置架台に対して取付位置が固定化されていないため、屋上の手摺や既設設備の状況に応じた取付位置を選択することができる。
【００５８】
【発明の効果】
以上説明したように、本発明の通信機材取り付け装置によれば、通信機材の支持柱を一方の側に立設された板状のベースへのボルトによる仮り止め後のボルト締め付けにより、ベースの他方の側でベースに対向する板状の部分からなる取り付け対象体を、ベース側へと引きつけるような形状をなした片を、取り付け対象体の両方の側部のそれぞれに沿って備えるので、ベースにボルトで仮り止めされた各片がボルト締め付けにより取り付け対象体をベース側へと引きつけることになり、従って、通信機材を取り付ける際に、取り付け対象体への穿孔等が不要になる。さらにベースと取り付け対象体との位置関係の調整が可能となる。その結果、通信機材の取り付けの際の作業性および作業能率が向上する。
【図面の簡単な説明】
【図１】第１の実施の形態の通信機材取り付け装置の斜視図である。
【図２】図１の通信機材取り付け装置の分解組立図である。
【図３】図１の通信機材取り付け装置の鉄塔手摺等との干渉を避ける形態の斜視図である。
【図４】第２の実施の形態の通信機材取り付け装置の斜視図である。
【図５】従来の、鉄塔に通信機材を取り付ける場合の取り付け方法を示す側面図である。
【図６】従来の、鉄塔に通信機材を取り付ける場合の取り付け方法を示す平面図である。
【図７】従来の、屋上に通信機材を取り付ける場合の取り付け方法を示す側面図である。
【図８】従来の、屋上に通信機材を取り付ける場合の取り付け方法を示す正面図である。
【符号の説明】
１  ベース
１ａ  支持柱
２，３  把持片
２ａ，３ａ  把持片の先端部分
２ｂ  丸穴
４  固定ボルト
５  隙間調整ボルト
６  小判穴
１０  Ｈ型鋼
１１  ゴムシート
１２  保持部材
【図１】
2004201239.tif 000003
【図２】
2004201239.tif 000004
【図３】
2004201239.tif 000005
【図４】
2004201239.tif 000006
【図５】
2004201239.tif 000007
【図６】
2004201239.tif 000008
【図７】
2004201239.tif 000009
【図８】
2004201239.tif 000010